(57)【要約】【課題】デザイン性に優れ、しかも宣伝広告としての機能も併せもったマウスを提供する。【解決手段】平面上に載置される底部６と透光性の把持部７とからなるケース２と、ケース２内に設けられた回路基板３および位置検出機構４と、把持部７の外表面に形成された遮光膜９とを備え、把持部７には、レーザ加工により遮光膜９を絵柄および／または文字の形に剥離して把持部７を露出させた露出部１０が形成されており、回路基板３には、露出部１０に向けて発光する光源１２が設けられていることを特徴とする。【選択図】図２
0003154391.tif 000002
【実用新案登録請求の範囲】
【請求項１】
平面上に載置される底部と透光性の把持部とからなるケースと、
前記ケース内に設けられた回路基板および位置検出機構と、
前記把持部の外表面に形成された遮光膜とを備え、
前記把持部には、レーザ加工により前記遮光膜を絵柄および／または文字の形に剥離して前記把持部を露出させた露出部が形成されており、
前記回路基板には、前記露出部に向けて発光する光源が設けられていることを特徴とするマウス。
【請求項２】
前記光源は発光波長の異なる複数の発光素子からなり、
前記回路基板には、前記複数の発光素子を所定の時間間隔で順次発光させる制御部が設けられていることを特徴とする請求項１に記載のマウス。
【請求項３】
前記遮光膜と、前記露出部から露出した前記把持部とは、透光性のコーティング膜により被覆されていることを特徴とする請求項１または２に記載のマウス。
【請求項４】
前記遮光膜は漆からなることを特徴とする請求項１ないし３のいずれかに記載のマウス。
【考案の詳細な説明】
【技術分野】
【０００１】
本考案は、コンピュータに位置情報を入力するためのマウスに関する。
【背景技術】
【０００２】
一般にマウスは、ケースと、ケース内に設けられた位置検出機構とから構成され、モニターに表示されたマウスポインタ等を任意の位置に移動させたり、範囲を指定したりする入力装置として用いられる。位置検出機構には、ボールの回転量や回転方向から位置を検出する機械的な位置検出機構と、発光素子とセンサとを用いて位置を検出する光学的な位置検出機構とがあり、マウスを移動させることで、移動方向や距離、速度等が検出されて、モニター上のマウスポインタが移動する。
【０００３】
光学的な位置検出機構に使用される発光素子は、マウスが操作されている場合（使用状態）には常時発光し、一定時間以上マウスが操作されていない場合（待機状態）には、間欠的に発光するように制御されている。
【０００４】
近年、この待機状態の発光素子を特定のリズムで発光するように制御することで、コンピュータ等の操作に伴うストレスを軽減させるマウスが開発されている（例えば、特許文献１参照）。特許文献１に記載のマウスでは、発光素子からの光が、ケースの底部とマウスパッドとの間から漏れ、あるいはケースが透光性を有する場合にはケースを透過して操作者の目に入るようになっている。
【先行技術文献】
【特許文献】
【０００５】
【特許文献１】特開２００４−２０６４８９号公報
【考案の概要】
【考案が解決しようとする課題】
【０００６】
しかしながら、特許文献１に記載のマウスは、ケース全体が光るだけなので、必ずしもデザイン性に優れているとはいえなかった。また、位置検出機構の発光素子を流用しているため、使用状態ではケース全体が常時光ることになり、操作者がコンピュータの操作に集中できないことがあった。
【０００７】
上記の問題に鑑みて、本考案はデザイン性に優れ、しかも宣伝広告としての機能も併せもったマウスを提供することを課題とする。
【課題を解決するための手段】
【０００８】
上記課題を解決するために、本考案に係るマウスは、平面上に載置される底部と透光性の把持部とからなるケースと、前記ケース内に設けられた回路基板および位置検出機構と、前記把持部の外表面に形成された遮光膜とを備え、前記把持部には、レーザ加工により前記遮光膜を絵柄および／または文字の形に剥離して前記把持部を露出させた露出部が形成されており、前記回路基板には、前記露出部に向けて発光する光源が設けられていることを特徴とする。
【０００９】
上記構成において、前記光源は発光波長の異なる複数の発光素子からなり、前記回路基板には、前記複数の発光素子を所定の時間間隔で順次発光させる制御部が設けられていることが好ましい。
【００１０】
また、上記構成において、前記遮光膜と、前記露出部から露出した前記把持部とは、透光性のコーティング膜により被覆されていることが好ましい。
【００１１】
また、上記構成において、前記遮光膜は漆からなることが好ましい。
【考案の効果】
【００１２】
本考案に係るマウスは、レーザ加工により遮光膜を絵柄および／または文字の形に剥離しているため、例えば、家紋やキャラクター等の形に剥離してマウスのデザイン性を高めたり、社名や会社のロゴの形に剥離してマウスに宣伝効果を発揮させたりすることができる。また、露出部に向けて発光する光源が設けられているため、透過光によって剥離された絵柄および／または文字の形を目立たせることができる。
【００１３】
さらに、本考案に係るマウスは、複数の発光素子を所定の時間間隔で順次発光させるため、絵柄および／または文字を任意の色で表現することができ、絵柄および／または文字の装飾的効果をより高めることができる。
【００１４】
さらに、本考案に係るマウスは、遮光膜と、露出部から露出した把持部とが、透光性のコーティング膜により被覆されているため、長期間の使用により露出部の絵柄および／または文字の形が崩れるのを防ぐことができる。
【００１５】
さらに、本考案に係るマウスは、遮光膜に漆を用いることで、ケースの表面を滑らかにし、独特の高級感を持たせることができる。
【図面の簡単な説明】
【００１６】
【図１】本考案の第１の実施例に係るマウスを示す平面図である。
【図２】本考案の第１の実施例に係るマウスであって、図１の線Ａ−Ａ’断面模式図である。
【図３】本考案の第２の実施例に係るマウスを示す平面図である。
【図４】本考案の第２の実施例に係るマウスであって、図３の線Ｂ−Ｂ’断面模式図である。
【考案を実施するための形態】
【００１７】
以下、本考案の好ましい実施例について、図面を参照して説明する。
【００１８】
［第１の実施例］
本実施例に係るマウス１は、マウスパッド等の平面上に載置して使用され、コンピュータに位置情報を入力するためのものである。
【００１９】
図１および図２に示すように、本実施例に係るマウス１は、ケース２と、ケース２内に設けられた回路基板３および位置検出機構４と、コンピュータに接続するための接続コード５とを備えている。
【００２０】
ケース２は、平面視略楕円形状に形成された底部６と、底部６上に配置された回路基板３等を覆うように曲面状に形成された透光性のＡＢＳ樹脂からなる把持部７とを有する。底部６には、位置検出用の発光素子からの検出光を出射するための検出孔８が設けられている。把持部７には、前方（接続コード５側）に右ボタン、左ボタンが設けられ、右ボタンと左ボタンの間に回転操作可能なホイールが設けられている。図２では、右ボタン、左ボタンおよびホイールを省略している。また、把持部７の外表面には、把持部７全体を被覆するように黒色の遮光膜９が形成されている。なお、遮光膜９は黒色に限らず、透明でなければ何色でもよい。
【００２１】
把持部７の一部には、レーザ加工により遮光膜９を絵柄および／または文字の形に剥離して把持部７のＡＢＳ樹脂を露出させた露出部１０が形成されている。露出部１０は、例えば、家紋やキャラクターの形もしくは社名や会社のロゴの形に形成されている。
【００２２】
遮光膜９と、露出部１０から露出した把持部７とは、長期間の使用により露出部１０の絵柄および／または文字の形が崩れないように、透光性のコーティング膜１１により被覆されている。
【００２３】
回路基板３は、底部６と略平行になるように底部６近傍に配置されている。回路基板３上には、位置検出機構４、露出部１０に向けて発光する光源１２、および光源１２を制御する制御部１３が設けられており、接続コード５を介してコンピュータから電力が供給されるようになっている。
【００２４】
位置検出機構４は、赤色ＬＥＤ等の発光素子と、センサと、レンズとプリズムとが一体に形成された透光性樹脂部材とからなる。発光素子からの出射光は、まず透光性樹脂部材に入り、プリズム内で反射を繰り返し、検出孔８を通ってマウスパッドに当たり、マウスパッドの表面で乱反射する。そして、乱反射した反射光が、再び検出孔８を通り、透光性樹脂部材のレンズを介してセンサに入射して、センサ上にマウスパッド表面の拡大像を結ぶ。センサは、マウス１の移動に伴うマウスパッドの表面状態の変化に基づいて、マウス１の位置を検出する。
【００２５】
光源１２は、赤色ＬＥＤ、緑色ＬＥＤ、青色ＬＥＤ等の波長の異なる複数の発光素子からなり、それぞれ露出部１０に向かって発光するように回路基板３上に配置されている。
【００２６】
制御部１３は、任意の発光パターンのデータを格納したＲＯＭ等の不揮発性メモリを有し、当該データに基づいて、複数の発光素子を所定の時間間隔で順次発光させることで光源１２の発光色を変化させている。
【００２７】
上記構成のマウス１では、露出部１０を除く領域には遮光膜９が形成されているため、光源１２からの光は露出部１０のみを透過する。このため、露出部１０の絵柄および／または文字の形を目立たせることができる。
【００２８】
なお、遮光膜９を剥離して露出部１０を形成するためのレーザ加工は、三次元レーザ加工機により行われる。三次元レーザ加工機を用いることで、曲面状の領域に対しても容易に絵柄および／または文字の形に遮光膜９を剥離することができる。
【００２９】
［第２の実施例］
次に、本考案の第２の実施例に係るマウス１’について説明する。
【００３０】
本実施例では、図３に示すように、一対の露出部１０Ａ〜１０Ｃが３ヶ所に形成され、異なる波長の光が露出部１０Ａ〜１０Ｃを透過するように構成されている。
【００３１】
露出部１０Ａ〜１０Ｃは、それぞれ把持部７の前方、中央、後方に、第１の実施例と同様にレーザ加工により遮光膜９を絵柄および／または文字の形に剥離して把持部７のＡＢＳ樹脂を露出させることで形成されている。
【００３２】
回路基板３上には、図４に示すように、前方の露出部１０Ａと中央の露出部１０Ｂに向けて発光する第１の光源１２Ａが、前方の露出部１０Ａと中央の露出部１０Ｂとの間に位置するように設けられ、中央の露出部１０Ｂと後方の露出部１０Ｃに向けて発光する第２の光源１２Ｂが、中央の露出部１０Ｂと後方の露出部１０Ｃとの間に位置するように設けられている。第１の光源１２Ａは、例えば青色ＬＥＤであり、第２の光源１２Ｂは、例えば黄色ＬＥＤである。
【００３３】
上記構成のマウス１’において、第１の光源１２Ａ（青色ＬＥＤ）および第２の光源１２Ｂ（黄色ＬＥＤ）を発光させると、前方の露出部１０Ａから青色光が透過し、後方の露出部１０Ｃから黄色光が透過する。そして、中央の露出部１０Ｂからは、青色光と黄色光とが混色した白色光が透過する。このため、露出部１０Ａ〜１０Ｃの絵柄および／または文字の形をそれぞれ異なる色で目立たせることができる。
【００３４】
なお、第１の光源１２Ａおよび第２の光源１２Ｂは、第１の実施例と同様に、赤色ＬＥＤ、緑色ＬＥＤ、青色ＬＥＤ等の波長の異なる複数の発光素子を用いて、所定の時間間隔で順次発光させてもよい。この場合も、第１の光源１２Ａと第２の光源１２Ｂとを異なる波長で発光させることにより、露出部１０Ａ〜１０Ｃの絵柄および／または文字の形をそれぞれ異なる色で目立たせることができる。
【００３５】
以上、本考案の好ましい実施例について説明してきたが、本考案はこれらの構成に限定されるものではない。
【００３６】
例えば、本実施例では光源１２、１２Ａ、１２ＢとしてＬＥＤを用いたが、有機ＥＬ等の発光素子を用いてもよいし、光源１２、１２Ａ、１２Ｂと露出部１０、１０Ａ〜１０Ｃとの間に導光体を設けてもよい。
【００３７】
また、本実施例では光学的な位置検出機構４を用いたが、機械的な位置検出機構を用いてもよい。
【００３８】
また、本実施例では透光性の把持部７と遮光性の底部６とからなるケース２を用いたが、底部６も透光性とし、把持部７と共に底部６も遮光膜９で被覆したケースを用いてもよい。
【００３９】
また、ケース２表面を滑らかにし、独特の高級感を持たせるために、遮光膜９として漆を使用してもよい。
【符号の説明】
【００４０】
１、１’    マウス
２      ケース
３      回路基板
４      位置検出機構
５      接続コード
６      底部
７      把持部
８      検出孔
９      遮光膜
１０、１０Ａ〜１０Ｃ    露出部
１１    コーティング膜
１２、１２Ａ、１２Ｂ    光源
１３    制御部
【図１】
0003154391.tif 000003
【図２】
0003154391.tif 000004
【図３】
0003154391.tif 000005
【図４】
0003154391.tif 000006